(57)【要約】【課題】洗濯機の終了の通知を、人のいる場所にある他の機器から通知する。【解決手段】従来の洗濯機１および乾燥機２に、外部の機器と通信できる機能を設ける。洗濯および乾燥が終了した時点で、洗濯機１および乾燥機２から音声により、運転終了通知をおこなうと同時に、運転終了終了時点から、洗濯機１および乾燥機２の蓋が開かれるまでの間に、洗濯機１および乾燥機２と通信できる、人を検知できる機器１０の近くに、人がいることを検知した場合、人を検知できる機器１０の近くにある、洗濯機１および乾燥機２と通信ができるテレビ３、冷蔵庫４、ルームエアコン５、照明器具６、掃除機７、パーソナルコンピュータ８、電話機９などの機器から、音声、振動、文字画像などの表示、照度の変化などにより、運転終了を人通知する。【選択図】  図１
2004174122.tif 000002
【特許請求の範囲】
【請求項１】
洗濯機または乾燥機の運転終了を人に通知する方法において、運転終了時点から応答のあるまでの間に、人の存在を検知する機能を有した機器が、その近くに人を検出した場合、検知した機器の近くにある機器を介して、洗濯機または乾燥機の終了状態を人に通知することを特徴とする通知方法。
【請求項２】
洗濯機または乾燥機の処理終了状態を人に通知する方法において、運転終了時点から洗濯機の蓋が開けられるまでの間に、機器の稼動状態によって人の存在を知ることができる機器が、人が近くに存在すと予測される稼動状態であった場合、その機器を介して、洗濯機または乾燥機の終了状態を通知することを特徴とする通知方法。
【請求項３】
請求項１、２において、人の存在を検知できる機器のうち、人を検知した機器が無い場合、洗濯機または乾燥機からの運転終了通知音の音量を上げることにより、通知範囲を広くすることを特徴とした通知方法。
【請求項４】
請求項１、２において、人に通知をおこなう機器が、音声機能を持っている場合、音声によって通知することを特徴とした通知方法。
【請求項５】
請求項１、２において、人に通知をおこなう機器が、一部を振動させることが可能な機器である場合、振動によって通知することを特徴とした通知方法。
【請求項６】
請求項１、２において、人に通知をおこなう機器が、表示器を持つ機器である場合、文字や画像などの表示によって通知することを特徴とした通知方法。
【請求項７】
請求項１、２において、人に通知をおこなう機器が、明るさを変化させることができる機器である場合、明るさを変動させることによって通知することを特徴とした通知方法。
【請求項８】
請求項１、２において、運転終了時点から一定期間以上の間、洗濯機および乾燥機の蓋が開けられなかった場合、再度通知をおこなうことを特徴とした通知方法。
【発明の詳細な説明】
【０００１】
【発明の属する技術分野】
本発明は、一般家庭用の洗濯機または乾燥機の、運転終了の通知に関するものである。
【０００２】
【従来の技術】
従来の技術としては、特許文献１（特開平９−２７１５９６号公報）等にあるように、人の存在の有無に関わらず、他の機器を介して終了状態を通知する方法が知られている。
【０００３】
図２に従来の技術の一例を示す。２１は洗濯機、２２は乾燥機、２３は通知をおこなう手段となるパーソナル・コンピュータ、２４は通知を行う手段となるテレビジョン、２５は通知を行う手段となる電話機により構成している。
【０００４】
この構成で、その動作を説明する。洗濯機２１および、乾燥機２２が終了状態になると、通信手段によって、パーソナル・コンピュータ２３、テレビジョン２４、電話機２５を介して画像・文字や音声によって人に通知される。
【０００５】
【特許文献１】
特開平９−２７１５９６号公報
【０００６】
【発明が解決しようとする課題】
しかしながら、この従来技術では、通知手段となる機器が多数あると、家中ですべての機器から通知音が鳴り渡って、騒音となってしまう可能性がある。また、通知手段となる機器が全て通知不可能な状態では、洗濯機および乾燥機の近くにいないと、人は終了を認識することができない。また、通知されたが、他の作業をしている間に、通知されたことを忘れてしまうことが考えられる。
【０００７】
本発明の目的は、１回あたりの稼動時間が長く、稼動時に人が近くにいないことが多い洗濯機および乾燥機の運転終了を、人の存在する最小限の場所に通知することにある。更に、通知の見逃し、忘れを防止し、洗濯後の処理を確実におこなえるようにすことである。
【０００８】
【課題を解決するための手段】
上記目的を達成するため、本発明第１の洗濯機および乾燥機の運転終通知手段は、本体に、制御手段と、前記制御手段からの出力により動作する通知手段と、前記制御手段と、外部機器とのデータのやり取りをおこなう通信手段および、近くの人の存在を検知する機能を備えた洗濯機および乾燥機において、洗濯が終了になった時点から、洗濯機および乾燥機の蓋が開けられるまでの間に、本体に制御手段と、前記洗濯機および乾燥機との通信機能および、人の存在を検知する機能をもった機器が、人の存在を検知したときに、人の存在を検知する機能をもった機器の近くにある機器を介して、通知をおこなうことを特徴とする。また、この場合、人の存在を検知する機器と、通知をおこなう機器が同一の機器であってもよい。
【０００９】
本発明第２の洗濯機および乾燥機の運転通知手段は、第１の洗濯機および乾燥機において、洗濯が終了になった時点から、洗濯機および乾燥機の近くに人の存在が検知されるまでの間に、本体に制御手段と前記洗濯機および乾燥機との通信機能を持った、モーター駆動時の掃除機、キーボード、マウス等の、人からの入力装置が稼動状態であるパーソナルコンピュータ、オンフック状態の電話機など、稼動状態によって、人が近くにいるかどうかを判断できる機器から、人が存在するとみなされたときに通知をおこなうことを特徴とする。
【００１０】
本発明第３の洗濯機および乾燥機の運転通知手段は、第１、第２の人に対する通知手段となる各機器から、人が近くにいることを示す信号が送られてこない場合、洗濯機および乾燥機からの通知音の音量を上げて、通知範囲を広げることを特徴とする。
【００１１】
本発明第４の洗濯機および乾燥機の運転通知手段は、第１、第２の人の存在を検知できる機器において、音声によって通知が可能な機器から、近くに人が存在することを検知したときに、音声にて通知することを特徴とする。
【００１２】
本発明第５の洗濯機および乾燥機の運転通知手段は、第１、第２の人の存在を検知できる機器において、振動によって通知が可能な機器から、近くに人が存在することを検知したときに振動にて通知することを特徴とする。
【００１３】
本発明第６の洗濯機および乾燥機の運転通知手段は、第１、第２の人の存在を検知できる機器において、表示器を備えた機器から、近くに人が存在することを検知したときに、文字や画像などの表示手段にて通知することを特徴とする。
【００１４】
本発明第７の洗濯機および乾燥機の運転通知手段は、第１、第２の人の存在を検知できる機器において、照明器具などの明るさを変化させることが可能な機器から、近くに人が存在することを検知したときに、照明の明るさを変化させることにより通知することを特徴とする。
【００１５】
本発明第８の洗濯機および乾燥機の運転通知手段は、第１、第２の手段において、一定時間の間、洗濯機および乾燥機の蓋が開けられなかった場合、再度洗濯機および乾燥機の終了通知をおこなうことを特徴とする。
【００１６】
本発明第９の洗濯機および乾燥機の運転通知手段は、第１〜第９の手段において、洗濯機および乾燥機に夜間モードに切換える機能を設け、夜間モードに切換えられた場合、第４の音声以外の方法を優先して通知することを特徴とする。
【００１７】
【発明の実施の形態】
本発明の一実施例を、図１、図２を参照しながら説明する。図１、図２で、１は洗濯機本体、１ａは蓋、１ｂはモード切換手段、１ｃは音声通知手段、２は乾燥機本体、２ａは蓋、２ｂはモード切換手段、２ｃは音声通知手段、３はテレビジョン本体、３ａは音声通知手段、３ｃは視覚通知手段、４は冷蔵庫本体、４ａは音声通知手段、４ｃは視覚通知手段、５はルームエアコン、５ａは音声通知手段、６は照明器具本体、６ｄは、照度通知手段、７は掃除機、７ｂは振動通知手段、７ｅは動作状態により人の存在を予測できる機構、８はパーソナル・コンピュータ、８ａは音声通知手段、８ｃは視覚通知手段、８ｅは動作状態により人の存在を予測できる機構、（キーボード）、８ｆは動作状態により人の存在を予測できる機構（マウス）、９は電話機、９ａは音声通知手段、９ｂは振動通知手段、９ｅはは動作状態により人の存在を予測できる機構、１０は人の存在を検知する機能を持つ機器、２０は制御手段、２１は通信手段、２２は通信経路、２３は通信手段、２４は人検知手段、２５は通信手段、２６は制御手段、２７は通知手段から構成される。
【００１８】
次に、この実施例の説明をおこなうが、洗濯機１と、乾燥機２のどちらでも、同じ動作であるため、洗濯機を例にあげて説明する。洗濯機１の制御手段２０により、洗濯機としての各動作をおこなう。運転が終了して、人の手による次の処理を促す状態になった場合、音声通知手段１ｃにより、洗濯機から直接、運転終了が通知されるとともに、人の存在を検知する機能を持つ機器１０の人検知手段２４によって近くの人の存在を検出し、その情報を通信手段２３、通信経路２２を経由し、洗濯機の通信手段２１から制御手段２０に伝達する。制御手段２０はその情報を基に、人に通知をおこなう機器３、４、５、６のうち、近くの人を検出した、人の存在を検知する機能を持つ機器１０の近くにある機器に、人に対して運転の終了を通知するように指示する。
【００１９】
また、運転状態によって人の存在を予測できる機器７、８、９から、動作状態によって人の存在を予測できる機構７ｅ、８ｅ、８ｆ、９ｅの動作を基に、制御手段２６によって予測した人の存在の情報を、通信手段２５、通信経路２２を経由し、洗濯機の通信手段２１から制御手段２０に伝達する。運転状態によって人の存在を予測できる機器７、８、９のうち、人が存在するという情報が送られてきた機器に、人に対して運転の終了を通知するように指示する。
【００２０】
このとき、洗濯機１から、各機器３、４、５、６、７、８、９の何れにも人に対して運転の終了を通知する指示が出せない場合、洗濯機１の音声通知手段１ｃの音量を上げて、広く人に通知できるようにする。
【００２１】
また、運転が終了した後に、洗濯機の蓋１ａが開かれた場合、すべての通知動作を停止する。
【００２２】
次に、人へ通知することを指示された機器３〜９から人への通知の実施例について説明をおこなう。人へ通知を指示された機器がテレビジョン３、冷蔵庫４、ルームエアコン５、掃除機７、パーソナルコンピュータ８、電話機９などのように、音声によって通知が可能な機器である場合、音声通知手段３ａ、４ａ、５ａ、８ａ、９ａによって通知をおこなう。また、音声の代わりに、人の接触している部分を振動させることによって通知しても良い。その実施例として、人が接触して稼動する機器である、掃除機７の人が握る部分に、振動通知手段７ｂを付加し、そこを振動させることによって、運転の終了を人に通知する。テレビジョン３、冷蔵庫４、パーソナルコンピュータ８などのように、視覚通知手段３ｃ、４ｃ、８ｃがある機器については、文字や画像などを表示して、通知をおこなう。照明器具６のように、照度の変化が可能な機器については、照度通知手段６ｄにより、照度を変化させることによって、運転のの終了を人に通知する。
【００２３】
次に運転の終了が通知されたが、気づかない、通知されたことを忘れたなどの理由により、次の作業がおこなわれない場合の動作について説明する。洗濯機の運転が終了して、一定期間経っても洗濯機の蓋１ａが開かれなかった場合、人に通知することを支持された機器は、再度人に洗濯機１の運転終了を通知する。
【００２４】
次に、通知の優先順位について説明をおこなう。家に複数の人が存在する場合、洗濯をおこなっている人以外にも通知されるため、洗濯している人の近くにある可能性が高い順に、優先順位を設け、順に通知する。例えば、洗濯をおこなっている人は、同時に別の家事をおこなっている可能性が高いため、掃除機７や、冷蔵庫４などの機器から優先して通知する。
【００２５】
次に夜間モードについての説明をおこなう。洗濯機１にモード切換え手段１ｂを設け、制御手段２０を夜間モードにすることで、夜間での騒音を防止した運転終了通知をおこなうことを可能とする。夜間モードでは、音声通知手段１ｃ、３ａ、４ａ、５ａ、８ａ、９ａ以外の通知を優先しておこなう。
【００２６】
【発明の効果】
本発明によれば、洗濯機および乾燥機の運転終了の通知を、近くに人の存在する場所に通知することができるため、通知する対象の機器が増えたとしても、家中で通知音が鳴り渡るようなことを防止することができる。また、通知をおこなった後に、一定時間以上蓋が開けられなかった場合、再度通知をおこなうことにより、通知が確実に伝わらない、もしくは通知されたことを忘れてしまうことを防止することができる。また、夜間モードを設け、音声以外の通知を優先することで、夜間の騒音を防止することができる。
【図面の簡単な説明】
【図１】本発明の一実施例の洗濯機および、乾燥機の運転終了通知方法の概略構成図である。
【図２】従来のシステム例である。
【図３】図１のシステムのブロック図である。
【符号の説明】
１…洗濯機、１ａ…蓋、１ｂ…モード切換手段、１ｃ…音声通知手段、２…乾燥機、２ａ…蓋、２ｂ…モード切換手段、２ｃ…音声通知手段、３…テレビジョン、３ａ…音声通知手段、３ｃ…視覚通知手段、４…冷蔵庫、４ａ…音声通知手段、４ｃ…視覚通知手段、５…ルームエアコン、５ａ…音声通知手段、６…照明器具、６ｄ…照度通知手段、７…掃除機、７ｂ…振動通知手段、７ｅ…動作状態により人の存在を予測できる機構、８…パーソナルコンピュータ、８ａ…音声通知手段、８ｃ…視覚通知手段、８ｅ…動作状態により人の存在を予測できる機構（キーボード）、８ｆ…動作状態により人の存在を予測できる機構（マウス）、９…電話機、９ａ…音声通知手段、９ｂ…振動通知手段、９ｅ…動作状態により人の存在を予測できる機構、１０…人の存在を検知する機能を持つ機器、２０…制御手段、２１…通信手段、２２…通信経路、２３…通信手段、２４…制御手段。
【図１】
2004174122.tif 000003
【図２】
2004174122.tif 000004
【図３】
2004174122.tif 000005